(57)【要約】      （修正有）【課題】止水リップによる止水性能の低下を抑制する。【解決手段】配線モジュール１において、グロメット２０は、貫通孔内に配設可能な環状に形成された周壁部６０と、その一端から外周側に張出すように設けられた鍔部７０と、周壁部から設けられてパネルにおける貫通孔の周縁部に係止可能な係止片６２とを含むインナー部材５０と、弾性材料により形成され、鍔部の両主面のうち周壁部の一端側の一方主面を覆って他方主面に回り込むように鍔部に被さる環状封止部３０と、環状封止部が鍔部に被さった状態で環状封止部の軸側の周縁部から周壁部の反対側に延出し、配線部を挿通可能なガイド筒部２２とを含むグロメット本体２１とを備える。鍔部にはガイド筒部側に突出する筒部側突出部が設けられ、環状封止部のうちガイド筒部側から筒部側突出部を越えて鍔部に被さっている部分に、パネルに当接可能な止水リップ３４が設けられる。【選択図】図４
2017118742.tif 000002
【特許請求の範囲】
【請求項１】
少なくとも１本の電線を含む配線部に外装された状態で、パネルの貫通孔に装着されるグロメットであって、
前記貫通孔内に配設可能な環状に形成された周壁部と、前記周壁部の一端から外周側に張出すように設けられた鍔部と、前記周壁部から設けられて前記パネルにおける前記貫通孔の周縁部に係止可能な係止片とを含むインナー部材と、
弾性材料により形成され、前記鍔部の両主面のうち前記周壁部の一端側の一方主面を覆って他方主面に回り込むように前記鍔部に被さる環状封止部と、前記環状封止部が前記鍔部に被さった状態で前記環状封止部の軸側の周縁部から前記周壁部の反対側に延出し、前記配線部を挿通可能なガイド筒部とを含むグロメット本体と、
を備え、
前記鍔部には、前記ガイド筒部側に突出する筒部側突出部が設けられており、
前記環状封止部のうち前記ガイド筒部側から前記筒部側突出部を越えて前記鍔部に被さっている部分に、前記パネルに当接可能な止水リップが設けられている、グロメット。
【請求項２】
請求項１に記載のグロメットであって、
前記筒部側突出部は、前記ガイド筒部をその周方向に沿って取り囲むように環状に設けられている、グロメット。
【請求項３】
請求項１または請求項２に記載のグロメットであって、
前記筒部側突出部は、前記鍔部の先端部分に設けられている、グロメット。
【請求項４】
請求項１から請求項３の何れか１つの請求項に記載のグロメットであって、
前記鍔部に、前記パネル側に突出するパネル側突出部がさらに設けられている、グロメット。
【請求項５】
請求項１から請求項４の何れか１つの請求項に記載のグロメットと、
前記グロメットに挿通されて保持された前記配線部と、
を備える、配線モジュール。
【発明の詳細な説明】
【技術分野】
【０００１】
本発明は、パネルの貫通孔に挿通されるワイヤーハーネスを保護するためのグロメットに関する。
【背景技術】
【０００２】
このようなグロメットとして、特許文献１には、弾性材料からなるグロメット本体２０１と、剛性材料からなる筒状の係合部（「インナー部材」）４０１を備えるグロメット２００が示されている（図８参照）。グロメット本体２０１には、溝６０１が形成されており、ここに係合部４０１の鍔部７０１が嵌合し、グロメット本体２０１と係合部４０１が結合される。ワイヤーハーネス（「配線部」）１８は、グロメット本体２０１の蛇腹状円筒部（配線部ガイド筒部）９０１内を貫通する。車体のパネル１０１には、グロメット２００を取り付ける貫通孔１０２が形成され、貫通孔１０２の周縁にバーリング部が設けられている。グロメット本体２０１の孔端当接部１５１がバーリング部の先端に当接するとともに、係止爪３０１がバーリング部の内周面（すなわち貫通孔１０２の内周面）と、貫通孔１０２の周縁部とに係止することによりグロメット２００がパネル１０１に装着される。孔端当接部１５１の外周縁部には、シールリップ５０８が設けられている。シールリップ５０８は、パネル１０１に当接し、貫通孔１０２を通して雨水、塵埃、騒音等が車体で遮られた一方の空間から他方の空間へ伝わることの抑制を図っている。
【先行技術文献】
【特許文献】
【０００３】
【特許文献１】特開平９−６３３８５号公報
【発明の概要】
【発明が解決しようとする課題】
【０００４】
しかしながら、特許文献１のグロメット２００には、ワイヤーハーネス１８が矢印Ｙ３方向に曲げられて蛇腹状円筒部９０１が同方向に曲げられると、孔端当接部１５１が鍔部７０１から外れる方向（矢印Ｙ４方向）に引っ張られ、シールリップ５０８がパネル１０１から蛇腹状円筒部９０１側に離れる方向（矢印Ｙ５方向）に移動して、止水性能が低下するといった問題がある。
【０００５】
本発明は、こうした問題を解決するためになされたもので、グロメット本体のガイド筒部に挿通されたワイヤーハーネスが曲げられた場合でも、止水リップによる止水性能の低下を抑制できる技術を提供することを目的とする。
【課題を解決するための手段】
【０００６】
上記の課題を解決するために、第１の態様に係るグロメットは、少なくとも１本の電線を含む配線部に外装された状態で、パネルの貫通孔に装着されるグロメットであって、前記貫通孔内に配設可能な環状に形成された周壁部と、前記周壁部の一端から外周側に張出すように設けられた鍔部と、前記周壁部から設けられて前記パネルにおける前記貫通孔の周縁部に係止可能な係止片とを含むインナー部材と、弾性材料により形成され、前記鍔部の両主面のうち前記周壁部の一端側の一方主面を覆って他方主面に回り込むように前記鍔部に被さる環状封止部と、前記環状封止部が前記鍔部に被さった状態で前記環状封止部の軸側の周縁部から前記周壁部の反対側に延出し、前記配線部を挿通可能なガイド筒部とを含むグロメット本体と、を備え、前記鍔部には、前記ガイド筒部側に突出する筒部側突出部が設けられており、前記環状封止部のうち前記ガイド筒部側から前記筒部側突出部を越えて前記鍔部に被さっている部分に、前記パネルに当接可能な止水リップが設けられている。
【０００７】
第２の態様に係るグロメットは、第１の態様に係るグロメットであって、前記筒部側突出部は、前記ガイド筒部をその周方向に沿って取り囲むように環状に設けられている。
【０００８】
第３の態様に係るグロメットは、第１または第２の態様に係るグロメットであって、前記筒部側突出部は、前記鍔部の先端部分に設けられている。
【０００９】
第４の態様に係るグロメットは、第１から第３の何れか１つの態様に係るグロメットであって、前記鍔部に、前記パネル側に突出するパネル側突出部がさらに設けられている。
【００１０】
第５の態様に係る配線モジュールは、第１から第４の何れか１つの態様に係るグロメットと、前記グロメットに挿通されて保持された前記配線部と、を備える。
【発明の効果】
【００１１】
第１の態様に係る発明によれば、周壁部の鍔部には、ガイド筒部側に突出する筒部側突出部が設けられており、環状封止部のうちガイド筒部側から筒部側突出部を越えて鍔部に被さっている部分に、パネルに当接可能な止水リップが設けられている。従って、配線部が曲げられることによってガイド筒部が曲り、環状封止部がガイド筒部側に引っ張られたとしても、環状封止部のうち止水リップが設けられている部分は、ガイド筒部側に引っ張られて移動することを抑制される。これにより、止水リップがパネル面に当接する力が低下することや止水リップがパネル面から離れることに起因する止水性能の低下を抑制できる。
【００１２】
第２の態様に係る発明によれば、筒部側突出部は、ガイド筒部をその周方向に沿って取り囲むように環状に設けられているので、ガイド筒部が種々の方向に曲げられたとしても、環状封止部のうち止水リップが設けられている部分がガイド筒部側に引っ張られて移動することを抑制できる。
【００１３】
第３の態様に係る発明によれば、筒部側突出部は、鍔部の先端部分に設けられているので、環状封止部のうち止水リップが設けられている部分を鍔部から剥がしてガイド筒部側に引っ張るために要する力が増大する。従って、環状封止部のうち止水リップが設けられている部分がガイド筒部側に引っ張られて移動することを、さらに抑制できる。
【００１４】
第４の態様に係る発明によれば、鍔部に、パネル側に突出するパネル側突出部がさらに設けられているので、環状封止部のうち止水リップが設けられている部分を鍔部から剥がしてガイド筒部側に引っ張るために要する力が増大する。従って、環状封止部のうち止水リップが設けられている部分がガイド筒部側に引っ張られて移動することを、さらに抑制できる。
【００１５】
第５の態様に係る発明によれば、グロメットに挿通されて保持された配線部が曲げられた場合でも、グロメット本体の環状封止部に設けられた止水リップがガイド筒部側に移動することを抑制できるので、グロメットがパネルを保持する保持力の低下を抑制できる。これにより、止水リップによる止水性能の低下を抑制可能な配線モジュールを提供できる。
【図面の簡単な説明】
【００１６】
【図１】実施形態に係るグロメットの一例を示す斜視図である。
【図２】図１のインナー部材を示す斜視図である。
【図３】図１のグロメット本体を示す斜視図である。
【図４】図１のグロメットのＡ１−Ａ１切断線における断面図である。
【図５】図４の周壁部近傍のＢ部分の拡大断面図である。
【図６】図１のグロメットのＡ２−Ａ２切断線における部分拡大断面図である。
【図７】図４のグロメットを備える配線モジュールをパネルに取り付けた状態を示す断面図である。
【図８】従来技術に係るグロメットを示す断面図である。
【発明を実施するための形態】
【００１７】
以下、本発明の実施形態を図面に基づいて説明する。図面では同様な構成および機能を有する部分に同じ符号が付され、下記説明では重複説明が省略される。
【００１８】
＜実施形態について＞
以下、実施形態に係るグロメット２０、配線モジュール１について説明する（図１〜図７参照）。配線モジュール１は、グロメット２０と、配線部としてのワイヤーハーネス１８とを備える（図７参照）。
【００１９】
グロメット２０は、少なくとも１本の電線を含むワイヤーハーネス１８に外装された状態で、パネル１０の貫通孔１２に装着される。グロメット２０は、インナー部材５０と、グロメット本体２１とを備える。
【００２０】
ワイヤーハーネス１８は、複数の電線（図示省略）が束ねられることによって構成されている。ワイヤーハーネス１８の各電線の端部には、コネクタ（図省略）が接続されている。ワイヤーハーネス１８を含む配線モジュール１が車両に組込まれた状態で、各電線の端部に取付けられたコネクタが車両に搭載された各種電気部品に接続される。すなわち、配線モジュール１は、車両に搭載される諸電気部品同士を接続する部品として用いられる。
【００２１】
なお、ワイヤーハーネス１８には、光ファイバコード等が含まれていてもよい。また、グロメット２０の収容対象となる配線部は、上記のように複数の電線が束ねられたものに限られず、１本の電線のみによって構成されていてもよい。
【００２２】
インナー部材５０は、例えば、樹脂等によって形成され、周壁部６０と、鍔部７０とを備える。周壁部６０は、貫通孔１２内に配設可能な環状に形成された周壁をなしている。鍔部７０は、周壁部６０の一端から外周側に張出すように設けられている。弾性材料により形成されているグロメット本体２１に対して、インナー部材５０は、剛性を有している。
【００２３】
鍔部７０は、環状の板状部材であり、鍔部７０の一方主面７２には、ガイド筒部２２側に突出する筒部側突出部７６が設けられている。鍔部７０の他方主面７４には、パネル１０側に突出するパネル側突出部７８がさらに設けられている。鍔部７０にパネル側突出部７８が設けられていないとしても、本発明の有用性を損なうものではない。
【００２４】
周壁部６０には、周壁部６０の他端側から延設された係止片６２が設けられている。より詳細には、係止片６２は、周壁部６０の他端部から周壁部６０の一端側に向けて延出するように設けられている。係止片６２の外面側には係止爪６４が、突設されている。係止爪６４は、パネル１０の貫通孔１２の周縁部に係止可能なように形成されている。なお、成形の型抜きの都合上、鍔部７０は、係止片６２に対向する部分には形成されていない。係止片６２に対向する筒部側突出部７６、パネル側突出部７８は、周方向の両隣の筒部側突出部７６、パネル側突出部７８によって支持されている。
【００２５】
グロメット本体２１は、環状封止部３０と、ガイド筒部２２とを備える。環状封止部３０は、エラストマー等の弾性材料により形成され、鍔部７０の両主面のうち周壁部６０の一端側の一方主面７２を覆って他方主面７４に回り込むように鍔部７０に被さる部材である。
【００２６】
ワイヤーハーネス１８は、グロメット２０に挿通された状態で、例えば、グロメット本体２１のガイド筒部２２と一緒に粘着テープＴを巻き付けられることなどによってグロメット２０に保持される。
【００２７】
グロメット本体２１の環状封止部３０のうち外周部３６および当接基部３８は、ガイド筒部２２側から筒部側突出部７６を越えて鍔部７０に被さっている部分である。
【００２８】
環状封止部３０には、鍔部７０および、筒部側突出部７６、パネル側突出部７８を収容可能な溝部が、ガイド筒部２２を取り囲んで環状に設けられている。当接基部３８には、パネル１０に当接可能な止水リップ（「シールリップ」、「シール用突出部」などとも称される）３４が設けられている。
【００２９】
また、当接基部３８には止水リップ３４に対して中心軸ａ１側に当接凸部３２が設けられている。当接凸部３２は、パネル１０に当接して支持する。
【００３０】
ガイド筒部２２は、環状封止部３０が鍔部７０に被さった状態で環状封止部３０の軸側の周縁部から周壁部６０の反対側に延出している。ガイド筒部２２は、ワイヤーハーネス１８を挿通して保持可能である。
【００３１】
筒部側突出部７６は、好ましくは、ガイド筒部２２をその周方向に沿って取り囲むように環状に設けられている。環状であると言えるためには、ガイド筒部２２を切れ目無く取り囲んでいる必要は無く、筒部側突出部７６に沿ってガイド筒部２２を取り囲む仮想の環を把握できれば足りる。また、筒部側突出部７６は、好ましくは、鍔部７０の先端部分に設けられている。
【００３２】
以上のように構成された本実施形態に係るグロメットによれば、周壁部６０の鍔部７０には、ガイド筒部２２側に突出する筒部側突出部７６が設けられており、環状封止部３０のうちガイド筒部２２側から筒部側突出部７６を越えて鍔部７０に被さっている部分に、パネル１０に当接可能な止水リップ３４が設けられている。従って、ワイヤーハーネス１８が曲げられることによってガイド筒部２２が、例えば、図７の矢印Ｙ１方向に曲り、環状封止部３０がガイド筒部２２側（図７の矢印Ｙ２方向）に引っ張られたとしても、環状封止部３０のうち止水リップ３４が設けられている部分は、ガイド筒部２２側に引っ張られて移動することを抑制される。これにより、止水リップ３４がパネル１０面に当接する力が低下することや止水リップ３４がパネル１０面から離れることに起因する止水性能の低下を抑制できる。
【００３３】
また、以上のように構成された本実施形態に係るグロメットによれば、筒部側突出部７６は、ガイド筒部２２をその周方向に沿って取り囲むように環状に設けられているので、ガイド筒部２２が種々の方向に曲げられたとしても、環状封止部３０のうち止水リップ３４が設けられている部分がガイド筒部２２側に引っ張られて移動することを抑制できる。
【００３４】
また、以上のように構成された本実施形態に係るグロメットによれば、筒部側突出部７６は、鍔部７０の先端部分に設けられているので、環状封止部３０のうち止水リップ３４が設けられている部分を鍔部７０から剥がしてガイド筒部２２側に引っ張るために要する力が増大する。従って、環状封止部３０のうち止水リップ３４が設けられている部分がガイド筒部２２側に引っ張られて移動することを、さらに抑制できる。
【００３５】
また、以上のように構成された本実施形態に係るグロメットによれば、鍔部７０に、パネル１０側に突出するパネル側突出部がさらに設けられているので、環状封止部３０のうち止水リップ３４が設けられている部分を鍔部７０から剥がしてガイド筒部２２側に引っ張るために要する力が増大する。従って、環状封止部３０のうち止水リップ３４が設けられている部分がガイド筒部２２側に引っ張られて移動することを、さらに抑制できる。
【００３６】
また、以上のように構成された本実施形態に係る配線モジュールによれば、グロメットに挿通されて保持されたワイヤーハーネス１８が曲げられた場合でも、グロメット本体の環状封止部３０に設けられた止水リップ３４がガイド筒部２２側に移動することを抑制できるので、グロメットがパネル１０を保持する保持力の低下を抑制できる。これにより、止水リップ３４による止水性能の低下を抑制可能な配線モジュールを提供できる。
【００３７】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００３８】
１  配線モジュール
１０  パネル
１２  貫通孔
１８  ワイヤーハーネス（配線部）
２０  グロメット
２１  グロメット本体
２２  ガイド筒部
２５  蛇腹筒部
３０  環状封止部
３２  当接凸部
３４  止水リップ
３６  外周部
３８  当接基部
５０  インナー部材
６０  周壁部
６２  係止片
６４  係止爪
７０  鍔部
７２  一方主面
７４  他方主面
７６  筒部側突出部
７８  パネル側突出部
【図１】
2017118742.tif 000003
【図２】
2017118742.tif 000004
【図３】
2017118742.tif 000005
【図４】
2017118742.tif 000006
【図５】
2017118742.tif 000007
【図６】
2017118742.tif 000008
【図７】
2017118742.tif 000009
【図８】
2017118742.tif 000010